(57)【特許請求の範囲】
【請求項１】
所定数の紙葉が折り込み自在に連続され、当該各紙葉を折り込んで所定大の封書状として配送させるための配送体において、
配送に必要な配送先の情報が前記紙葉の同一面上で印字される第１及び第２の伝票部を少なくとも備え、
前記第１の伝票部は、前記紙葉と一体状態であって、前記各紙葉を折り込んで封書状としたときに表面上に位置されて分離手段により分離自在に形成され、
前記第２の伝票部は、前記各紙葉を折り込んで封書状としたときに前記第１の伝票部の分離で表出されるべく位置に形成されることを特徴とする配送体。
【請求項２】
請求項１記載の配送体であって、前記分離手段は、前記紙葉における前記第１の伝票部部分の裏面に当該第１の伝票部を剥離自在に取着させる取着部材が設けられて、当該第１の伝票部を当該取着部材上で型抜きさせたものであることを特徴とする配送体。
【請求項３】
請求項２記載の配送体であって、前記取着部材は、前記第１の伝票部の分離で前記第２の伝票部を表出させるべく透視部材で形成されることを特徴とする配送体。
【請求項４】
請求項１〜３の少なくとも何れかに記載の配送体であって、前記第１及び第２の伝票部と同一面上に所定の配送対象が印字されることを特徴とする配送体。
【請求項５】
請求項１〜４の少なくとも何れかに記載の配送体を作製し、配送させる配送管理システムであって、
前記配送体に印字される配送対象の発注を行う所定数の発注手段と、
前記発注手段からの発注のデータに基づき、前記配送対象のデータ、前記第１及び第２の伝票部に印字すべきデータを少なくとも含む印字ファイルを作成する管理手段と、
前記配送体を構成する紙葉に固定情報を印刷すると共に、前記管理手段からの前記印字ファイルに基づいて当該配送体の第１及び第２の伝票部に配送に必要な配送先の情報を印字し、当該第１の伝票部を分離させるための加工を行うと共に、各紙葉を当該第１の伝票部が分離されたときに当該第２の伝票部が表出されるべく折り込んで封書状の当該配送体を作製して配送させるための配送体作製手段と、
を有することを特徴とする配送管理システム。
【発明の詳細な説明】
【０００１】
【発明の属する技術分野】
本発明は、物流における所定配送先に対して配送対象を配送するに際し、配送先住所等の記載がされ、分離自在な受領票を備えた配送体及びその配送管理システムに関する。
【０００２】
【従来の技術】
近年、物流においては郵便の他に宅配サービスが盛んになってきており、封書大のものまでサービスの対象となっている。配送は、依頼の対象物に配送伝票、受領伝票を添付して行われ、各対象物間で異なる記載内容のものが作製される。特に、封書等の内容が印刷、印字される対象物に対しては、印刷、印字から配送伝票、受領伝票の作製、配送に至るまでの過程において効率化が望まれていると共に、これらに適した配送対象物である配送体の出現が望まれている。
【０００３】
従来、例えば封書の宅配サービスを受ける場合、依頼者が当該封書を印刷、印字して封緘することにより作製し、さらに、配送伝票を作製したり、又は既存の配送伝票に記入して宅配業者に依頼する。この場合、受領伝票は、配送伝票と別体として記入したり、又は配送伝票と複写紙等を用いて一体化されたものに対して一括で記入することにより作製されている。そして、配送伝票（受領伝票）を当該封書に貼付して配送業者に依頼される。
【０００４】
一例として、観賞会等のチケットを電話、ＦＡＸ、インターネット等の通信で受注し、作製、発送する場合、受注に応じた所定のチケットに固有の情報を印字して作製し、これを封緘体に封緘すると共に、上記のように配送伝票（受領伝票）を記入、作製して当該封緘体に貼付した状態で配送業者に依頼することで配送を行っている。
【０００５】
【発明が解決しようとする課題】
しかしながら、チケット等の内容物の印字や、配送先等の印字、記入は個別毎のデータに基づいて行うもので、多くを処理しなければならないときには当該内容物と配送先を印字、記入した配送伝票とのマッチングを行わなければならず、このような配送体を作製し、配送業者に依頼して配送する一連の作業の効率化が図れないという問題がある。
そこで、本発明は上記課題に鑑みなされたもので、配送対象物の作製から配送に至る作業の効率化を図る配送体及び配送管理システムを提供することを目的とする。
【０００６】
【課題を解決するための手段】
上記課題を解決するために、請求項１の発明では、所定数の紙葉が折り込み自在に連続され、当該各紙葉を折り込んで所定大の封書状として配送させるための配送体において、配送に必要な配送先の情報が前記紙葉の同一面上で印字される第１及び第２の伝票部を少なくとも備え、前記第１の伝票部は、前記紙葉と一体状態であって、前記各紙葉を折り込んで封書状としたときに表面上に位置されて分離手段により分離自在に形成され、前記第２の伝票部は、前記各紙葉を折り込んで封書状としたときに前記第１の伝票部の分離で表出されるべく位置に形成される構成である。
【０００７】
請求項２〜４の発明では、「前記分離手段は、前記紙葉における前記第１の伝票部部分の裏面に当該第１の伝票部を剥離自在に取着させる取着部材が設けられて、当該第１の伝票部を当該取着部材上で型抜きさせたものであり」、
「前記取着部材は、前記第１の伝票部の分離で前記第２の伝票部を表出させるべく透視部材で形成され」、
「前記第１及び第２の伝票部と同一面上に所定の配送対象が印字される」構成とする。
【０００８】
請求項５の発明では、請求項１〜４の少なくとも何れかに記載の配送体を作製し、配送させる配送管理システムであって、前記配送体に印字される配送対象の発注を行う所定数の発注手段と、前記発注手段からの発注のデータに基づき、前記配送対象のデータ、前記第１及び第２の伝票部に印字すべきデータを少なくとも含む印字ファイルを作成する管理手段と、前記配送体を構成する紙葉に固定情報を印刷すると共に、前記管理手段からの前記印字ファイルに基づいて当該配送体の第１及び第２の伝票部に配送に必要な配送先の情報を印字し、当該第１の伝票部を分離させるための加工を行うと共に、各紙葉を当該第１の伝票部が分離されたときに当該第２の伝票部が表出されるべく折り込んで封書状の当該配送体を作製して配送させるための配送体作製手段と、を有して配送管理システムを構成する。
【００１０】
このように、配送体を、配送に必要な配送先の情報が同一面上に印字される第２の伝票部及び分離自在な第１の伝票部を備え、適宜配送対象が印字される折り込み自在に連続した紙葉を折り込んで封書状としたときに当該第１の伝票部の分離で表出されるべく位置に形成させた第２の伝票部を備える構成とすることにより、配送に必要な情報が同一面上に一括して印字可能であることから、印字時にこれらのマッチングがとられ、また同一面上に配送対象が一括して印字可能であることから、当該配送対象と第１及び第２の伝票部とのマッチングを印字時に容易にとることが可能となって配送体作製の効率化が図られる。また、第２の伝票部が表面上に位置されて第１の伝票部が分離されたときに表出されることから、第１の伝票部が分離されても第２の伝票部により開封せずに配送先を確認することが可能となる。
【００１１】
また、配送管理システムにおいて、所定数の発注手段からの発注データより配送対象のデータ、第１及び第２の伝票部に印字すべきデータの印字ファイルを管理手段が作成し、配送体作製手段が固定情報の印刷を行うと共に、当該印字ファイルに基づいて配送対象、第１及び第２の伝票部に固有情報を印字し、当該第１の伝票部を分離させるための加工を行うと共に、各紙葉を当該第１の伝票部が分離されたときに当該第２の伝票部が表出されるべく折り込みの加工を行わせることにより、発注から上記配送体作製までを一連の過程で行うことが可能となり、効率化を図ることが可能となる。
【００１２】
【発明の実施の形態】
以下、本発明の好ましい一実施形態を図により説明する。
図１に、本発明の一実施形態における配送体の構成図を示す。図１（Ａ）、（Ｂ）に示す配送体１１は、一例として観賞会等のチケットを配送対象とした場合に適用した場合を示したもので、所定数の紙葉が折り込まれた本体１２と、上下に分離自在にミシン目（後述の切取線）が形成された切取部１３Ａ，１３Ｃ（裏面に切取部１３Ｂがある）とにより所定大（例えば郵便で用いられる定形大、定形外大）の封書状として構成される。
【００１３】
本体１２の表面上には、第１の伝票部である受領票１４として例えば「受領票」、「受領印」等の他に、配送体固有の情報として「住所」、「氏名」等の配送に必要な印字情報が印字される。この受領票１４は、これが設けられる紙葉と一体状態であり、各紙葉（図２で説明する）を折り込んで封書状としたときに表面上に位置されて分離手段である切込線１５により分離自在に形成されたものである。
【００１４】
また、所定の紙葉であって、各紙葉を折り込んで封書状としたときに、上記受領票１４が切込線１５での分離で表出される第２の伝票部である配送票１６が印字されて設けられたもので、これには上記受領票１４と同様の例えば「配送票」等の他に、配送体固有の情報として「住所」、「氏名」等の配送に必要な印字情報が印字されている。
【００１５】
上記のような配送体１１は、図１（Ａ）に示す状態で受領票１４に記された住所、氏名に基づいて配送が行われ、そして受け取り者に渡して受領印が押され、図１（Ｂ）に示すように当該受領票１４を切込部１５で分離させて受け取る。受領票１４を当該配送体１１より分離させると、その部分が窓部となって配送票１６が表出されるもので、当該配送体１１を開封しなくても配送先を確認することができるものである。
【００１６】
ここで、図２に図１の配送体の作製説明図を示すと共に、図３に本発明の配送体の作製ブロック図を示す。図２（Ａ）は、上記配送体１１の展開図を示したもので、本体１２は紙葉１２−１〜１２−３が折込線２２Ａ〜２２Ｃで折り込み自在に連続している。この紙葉１２−１〜１２−３の３辺には切取線２３Ａ〜２３Ｄを介在して切取部１３Ａ〜１３Ｃが一体で設けられ、当該切取部１３Ｂは紙葉１２−１から折込線２２Ｃで折り込み自在な切取辺Ｂ１、切取線２３Ｂで分離自在な切取辺Ｂ２、切取線２３Ｃで分離自在な切取辺Ｂ３が一体で設けられる。
【００１７】
そして、図３に示す印刷手段３２が印刷データ３３ＤＢからの印刷情報に基づいて各紙葉１２−１〜１２−３上に印刷を行う。また、印字手段３４では、後述する発注データに基づいて作製された印字ファイル３５により、図２（Ａ）に示すような配送対象情報２１としての例えば「チケット」、その内容としての「ＮＯ．・・・」、「会場」、「日時」等の情報と、上記受領票１４の情報と、配送票１６の情報とが同一面上で一括して印字を行う。なお、展開した状態の配送体１１に印刷手段３２で予め固定情報を印刷させたものを、印字手段３４にセットさせて印字させてもよい。
【００１８】
続いて、図２（Ｂ）は図２（Ａ）の裏面を示したもので、図３に示す接着剤塗布手段３６により、当該裏面の切取辺Ｂ３と、紙葉１２−１，１２−２の切取部１３Ａ，１３Ｃとに接着剤２４が塗布される。図３に示す加工手段３７では、図２（Ａ）、（Ｂ）に示す受領票１４を分離自在とするために例えば型抜きによりミシン目状の切込線１５を形成する。
【００１９】
そして、図２（Ｃ）に示すように、紙葉１２−３（切取部１３Ａ，１３Ｃ）を折込線２２Ａで紙葉１２−２の裏面側に折り込んで切取部１３Ａ，１３Ｃ同士を接着する。また、図２（Ｄ）に示すように、紙葉１２−２（１２−３）を折込線２２Ｂで紙葉１２−１の裏面側に折り込んで切取部１３Ａ，１３Ｃ同士を接着する。また、折込線２２Ｃで切取辺Ｂ１〜Ｂ３を裏面側に折り込んで、切取辺Ｂ３と紙葉１２−２の裏面とを接着することで封緘され、図１に示すような配送体１１が作製されるものである。
【００２０】
上記のように作製された配送体１１を開封する場合、切取部１３Ａ〜１３Ｃを切取線２３Ａ〜２３Ｄで切り取り、切取辺Ｂ２を切取辺Ｂ１，Ｂ３から切り取ることにより（このとき切取辺Ｂ１，Ｂ３は残る）、各紙葉１２−１〜１２−３を展開することができるものである。
【００２１】
このように、配送体１１を作製するにあたり、受領票１４、配送票１５、配送対象情報２１を一括して印字でき、かつ受領票１４を分離したときに配送票１６が表出するように加工することができることから、配送体作製の効率を向上させることができるものである。
【００２２】
次に、図４及び図５に本発明の配送体における他の実施形態の構成説明図を示す。図４（Ａ）、（Ｂ）に示す配送体１１は、紙葉１２−１に印字される受領票１４に対応する部分の裏面に取着部材４１が接着剤により設けられる。すなわち、図４（Ｂ）の拡大断面図に示すように、取着部材４１は図面上の下方から、透視部材で形成された透過フィルム４２Ａ上に疑似接着剤４２Ｂを介在させて同様の透過フィルム４２Ｃが設けられ、当該透過フィルム４２Ｃ上に接着剤４２Ｄが設けられて上記紙葉１２−１の裏面に取着される。そして、受領票１４部分を透過フィルム４２Ａの上まで（疑似接着剤４２Ｂまで）型抜きにより、型抜き線４３を形成させたものである。
【００２３】
このような受領票１４は、型抜き線４３より分離させると、疑似接着剤４２Ｂ部分で透過フィルム４２Ａより剥離した状態となる。このとき、紙葉１２−１における当該受領票１４が分離した後の窓部分に透過フィルム４２Ａが残り、この部分より紙葉１２−３の配送票１６が表出されるものである。
【００２４】
また、図５（Ａ）〜（Ｃ）に示す配送体１１は、受領票１４が印字される紙葉１２−１上に配送票１６を印字させ、折り込み加工で表面上に位置させるようにしたものである。すなわち、紙葉１２−１上には、受領票１４と配送票１６とが印字され、当該受領票１４を切込線１５により分離自在としたものである。この場合、受領票１４が分離された後の窓部分には、配送対象情報２１が印字された紙葉１２−３の余白部分が表出されるだけである。なお、当該受領票１４を分離した後の窓部分に所望の情報を表出させるように、当該紙葉１２−３における該当部分に印字を行ってもよい。
【００２５】
図４及び図５に示す実施形態においても、少なくとも受領票１４と配送票１６とが同一面上で一括して印字することができ、また配送対象情報２１をも同一面上で一括して印字することができることから、配送体１１を作製するにあたって効率を向上させることができるものである。
【００２６】
なお、上記実施形態では、チケットを配送対象とした場合を示したが、これに限らず、カードとしても適用することができるもので、また印字により発行する総ての対象物に適用することができるものである。また、上記実施形態（図１〜図４）において、配送対象情報２１が印字される紙葉１２−３上に配送票１６を印字させる場合、当該配送対象情報２１と配送票１６とをミシン目等で分離可能としてもよい。さらに、上記実施形態では各紙葉１２−１〜１２−３を巻き込んで封緘した場合を示したが、いわゆるＺ折りにより折り込んで封緘してもよい。また、紙葉は３枚に限らず、それ以上でもよい。
【００２７】
次に、図６に、本発明の配送管理システムの構成図を示す。図６（Ａ）において配送管理システム５１は、通信回線５２上に少なくとも配送体に印字される配送対象の発注を行う所定数の発注手段である発注端末５３と、所定の発注端末５３からの発注データに基づき配送対象のデータ、上記受領票１４及び配送票１６に印字すべきデータを少なくとも含む上記印字ファイル３５を作成する管理手段である管理ホスト５４と、配送端末５５とが接続され、当該配送端末５５に管理ホスト５４からの印字ファイル３５に基づいて配送体への印字、加工を行う上記配送体作製手段３１が設けられたものである。
【００２８】
上記配送管理システム５１は、図６（Ｂ）に示すように、まず所定の発注端末５３からの発注で管理ホスト５４において発注データ６１が入力されると、配送管理手段６２が顧客ＤＢ（データベース）６３に顧客情報として記録する。例えば新規の場合には当該顧客とその発注内容を登録し、既登録であれば発注内容の情報を記録する。また、配送管理手段６２は、発注データの内容をデータ抽出手段６４に送出する。なお、発注データ６１には、少なくとも発注者の氏名、住所、発注内容のデータが含まれ、適宜発注者に登録番号等が付されている場合には当該登録番号で上記顧客ＤＢ６３により登録されている氏名、住所を特定してもよい。
【００２９】
データ抽出手段６４では、例えば発注内容のデータより、印字すべきフォーマットをフォーマットＤＢ６５より読み出して展開し、当該フォーマットに応じたデータを上記発注データより抽出して印字ファイル作成手段６６に送出する。印字ファイル作成手段６６は、例えばバッファ的なもので、上記フォーマット上に上記データ抽出手段６４で抽出されたデータを展開し、印字ファイル３５として配送端末５５を介して上記配送体作成手段３１に送出するものである。すなわち、管理ホスト５４が発注データ６１より印字ファイル３５を作成して配送端末５５に通信回線５２を介して送出するものである。
【００３０】
例えば、チケット販売を例にすると、チケット販売会社において管理ホスト５４で所定の発注端末５３より発注データ６１を受け取り、印字ファイル３５を作成して宅配サービス会社等の配送業者の配送端末５５に通信回線５２を介して送出し、当該配送業者において配送体作成手段３１により配送体を作製して配送させるものである。配送が行われると持ち帰った受領票を適宜当該配送業者や又は依頼されたチケット販売会社にフィードバックさせてもよい。なお、チケット販売会者自体で配送業務を行う場合や、また配送業者が業務拡大等でチケット販売等を行う場合でも通信回線５２を用いて発注から配送まで一貫して行うこともできるものである。
【００３１】
このような配送管理システム５１により、チケット等の発行、配送を、店舗を介さずに行うことができることから、店舗や人件費を省くことができ、業務効率を向上させることができるものである。なお、発注端末５３よりファクシミリ等の電子データ以外のもので発注された場合には、オペレータにより、上記管理ホスト５４に発注データを入力させれば足りるものである。
【００３２】
【発明の効果】
以上のように、請求項１〜４の発明によれば、配送に必要な配送先の情報が同一面上に印字される第２の伝票部及び分離自在な第１の伝票部を備えた配送体であって、適宜配送対象が印字される折り込み自在に連続した紙葉を折り込んで封書状としたときに当該第１の伝票部の分離で表出されるべく位置に第２の伝票部を形成させることにより、マッチングのとれた配送体作製の効率化を図ることができるものである。
【００３３】
また、請求項５の発明によれば、所定数の発注手段からの発注データより配送対象のデータ、第１及び第２の伝票部に印字すべきデータの印字ファイルを管理手段が作成し、配送体作製手段が固定情報の印刷を行うと共に、当該印字ファイルに基づいて配送対象、第１及び第２の伝票部に固有情報を印字し、当該第１の伝票部を分離させるための加工を行うと共に、各紙葉を当該第１の伝票部が分離されたときに当該第２の伝票部が表出されるべく折り込みの加工を行わせることにより、発注から上記配送体作製、配送までを一連の過程で行うことができ、効率化を図ることができるものである。
【図面の簡単な説明】
【図１】本発明の一実施形態における配送体の構成図である。
【図２】図１の配送体の作製説明図である。
【図３】本発明の配送体の作製ブロック図である。
【図４】本発明の配送体おける他の実施形態の構成説明図（１）である。
【図５】本発明の配送体おける他の実施形態の構成説明図（２）である。
【図６】本発明の配送管理システムの構成図である。
【符号の説明】
１１                    配送体
１２                    本体
１２−１〜１２−３      紙葉
１４                    受領票
１６                    配送票
２１                    配送対象情報
３１                    配送体作製手段
３２                    印刷手段
３４                    印字手段
３５                    印字ファイル
３６                    接着剤塗布手段
３７                    加工手段
４１                    取着部材
４２Ａ，４２Ｃ          透過フィルム
５１                    配送管理システム
５２                    通信回線
５３                    発注端末
５４                    管理ホスト
５５                    配送端末
【図１】
0004208358.tif 000002
【図２】
0004208358.tif 000003
【図３】
0004208358.tif 000004
【図４】
0004208358.tif 000005
【図５】
0004208358.tif 000006
【図６】
0004208358.tif 000007